(57)【要約】【課題】インピーダンスを容易に調整できるアンテナ装置を提供する。【解決手段】アンテナ装置は、端辺を有するグランドプレーンと、前記グランドプレーンの前記端辺の近傍に位置する給電点と、第１開放端とを有し、前記給電点から前記第１開放端まで伸延し、インダクタとして機能する給電素子と、前記給電素子の前記第１開放端から所定距離の位置に配設される第２開放端と、前記グランドプレーンの前記端辺に接続される接続端とを有し、前記接続端から前記第２開放端まで伸延する無給電素子であって、前記接続端から前記第２開放端までの長さが通信周波数における波長の電気長の四半波長に設定される、無給電素子と、前記第１開放端及び前記第２開放端を覆うように前記第１開放端及び前記第２開放端との間に所定間隔を隔てて配設され、前記第１開放端及び前記第２開放端との間に所定の容量を構築する、金属部材とを含む。【選択図】図１
2018061119.tif 000002
【特許請求の範囲】
【請求項１】
端辺を有するグランドプレーンと、
前記グランドプレーンの前記端辺の近傍に位置する給電点と、第１開放端とを有し、前記給電点から前記第１開放端まで伸延し、インダクタとして機能する給電素子と、
前記給電素子の前記第１開放端から所定距離の位置に配設される第２開放端と、前記グランドプレーンの前記端辺に接続される接続端とを有し、前記接続端から前記第２開放端まで伸延する無給電素子であって、前記接続端から前記第２開放端までの長さが通信周波数における波長の電気長の四半波長に設定される、無給電素子と、
前記第１開放端及び前記第２開放端を覆うように前記第１開放端及び前記第２開放端との間に所定間隔を隔てて配設され、前記第１開放端及び前記第２開放端との間に所定の容量を構築する、金属部材と
を含む、アンテナ装置。
【請求項２】
前記給電素子は、前記給電点の近傍において前記グランドプレーンに接続される接地端をさらに有し、前記給電点から前記第１開放端まで伸延し、前記第１開放端で折り返して前記接地端まで伸延する、ループ状の素子である、請求項１記載のアンテナ装置。
【請求項３】
前記無給電素子は、前記接続端の近傍において前記グランドプレーンに接続される第２接続端をさらに有し、前記接続端から前記第２開放端まで伸延し、前記第２開放端で折り返して前記第２接続端まで伸延する、ループ状の素子である、請求項１又は記載のアンテナ装置。
【請求項４】
前記給電素子の前記給電点と前記第１開放端との間の第１点と、前記無給電素子の前記接続端と前記第２開放端との間の第２点とを接続し、前記第１点、前記給電点、端辺、前記接続端、及び前記第２点を結ぶループを構築する、接続素子をさらに含む、請求項１記載のアンテナ装置。
【請求項５】
グランドプレーンと、
前記グランドプレーンの第１点の近傍に位置する給電点と、第１開放端とを有し、前記給電点から前記第１開放端まで伸延する給電素子と、
前記第１点と前記給電点との間に並列に挿入される誘導性素子と、
前記グランドプレーンの第２点に接続される接続端と、前記第１開放端から所定距離の位置に配設される第２開放端とを有し、前記接続端から前記第２開放端まで伸延する無給電素子と、
前記第１開放端及び前記第２開放端を覆うように前記第１開放端及び前記第２開放端との間に所定間隔を隔てて配設され、前記第１開放端及び前記第２開放端との間に所定の容量を構築する、金属部材と
を含み、
前記第１開放端から前記給電点までの長さと、前記第１点から前記第２点までの長さと、前記接続端から前記第２開放端までの長さの合計の長さは、通信周波数における波長の電気長の半波長に設定される、アンテナ装置。
【請求項６】
給電点と、給電点の近傍に位置するグランド電位点とを有し、前記給電点から前記グランド電位点にループ状に伸延し、インダクタとして機能する給電素子と、
前記給電素子の前記給電点と前記グランド電位点との間の第１点の近傍に配設される第１開放端と、前記第１点と前記グランド電位点との間の第２点の近傍に配設される第２開放端とを有し、前記第１開放端から前記第２開放端まで伸延する無給電素子であって、前記第１開放端と前記第２開放端と間の長さが通信周波数における波長の電気長の半波長に設定される、無給電素子と、
前記第１点及び前記第１開放端を覆うように前記第１点及び前記第１開放端との間に所定間隔を隔てて配設され、前記第１点及び前記第１開放端との間に所定の容量を構築する、金属部材と
を含む、アンテナ装置。
【請求項７】
前記第１開放端及び前記第２開放端と、前記金属部材との間に配設され、前記所定間隔に相当する厚さを有する絶縁部材をさらに含む、請求項１乃至６のいずれか一項記載のアンテナ装置。
【請求項８】
前記金属部材の幅は、前記給電素子及び前記無給電素子の線幅よりも広い、請求項１乃至７のいずれか一項記載のアンテナ装置。
【請求項９】
前記金属部材は、前記第１開放端及び前記第２開放端に対して繰り返し貼り付けることができる金属シートである、請求項１乃至８のいずれか一項記載のアンテナ装置。
【請求項１０】
前記金属部材は、前記第１開放端及び前記第２開放端を結ぶ方向における長さが互いに異なり、前記第１開放端及び前記第２開放端に重ねられる複数の金属シートであって、前記複数の金属シートは、前記第１開放端及び前記第２開放端に対して重ねられる方向において、前記第１開放端及び前記第２開放端に近いほど前記長さが短く、前記第１開放端及び前記第２開放端から離れるほど前記長さが長い、請求項１乃至９のいずれか一項記載のアンテナ装置。
【請求項１１】
前記金属部材は、回転軸によって回動自在に軸支されており、角度を調整することによって前記第１開放端及び前記第２開放端と重なる面積が変わる、可変容量を構築する、請求項１乃至８のいずれか一項記載のアンテナ装置。
【発明の詳細な説明】
【技術分野】
【０００１】
本発明は、アンテナ装置に関する。
【背景技術】
【０００２】
従来より、ミアンダ状に折り曲げられたアンテナ素子と、アンテナ素子の折返し部になるスライド式の導電部とを含み、スライド式の導電部をスライドさせることにより、アンテナ素子の両端から導電部までの長さを調節することによって、インピーダンスを調整するアンテナ装置がある（例えば、非特許文献１参照）。
【先行技術文献】
【非特許文献】
【０００３】
【非特許文献１】“Folded  Meandered  Monopole  for  Emerging  Smart  Metering  and  M2M  Applications  in  the  Lower  UHF  Band”Abraham  Loutridis，Matthias  John,  and  Max  J．Ammann，IEEE  Antennas  and  Propagation  Magazine，vol.58，no.2，p.60-65，2016.
【発明の概要】
【発明が解決しようとする課題】
【０００４】
ところで、従来のアンテナ装置は、スライド式の導電部がアンテナ素子に接触するため、接触部の電気的接続が安定せず、インピーダンスの調整が困難になるおそれがある。
【０００５】
そこで、インピーダンスを容易に調整できるアンテナ装置を提供することを目的とする。
【課題を解決するための手段】
【０００６】
本発明の実施の形態のアンテナ装置は、端辺を有するグランドプレーンと、前記グランドプレーンの前記端辺の近傍に位置する給電点と、第１開放端とを有し、前記給電点から前記第１開放端まで伸延し、インダクタとして機能する給電素子と、前記給電素子の前記第１開放端から所定距離の位置に配設される第２開放端と、前記グランドプレーンの前記端辺に接続される接続端とを有し、前記接続端から前記第２開放端まで伸延する無給電素子であって、前記接続端から前記第２開放端までの長さが通信周波数における波長の電気長の四半波長に設定される、無給電素子と、前記第１開放端及び前記第２開放端を覆うように前記第１開放端及び前記第２開放端との間に所定間隔を隔てて配設され、前記第１開放端及び前記第２開放端との間に所定の容量を構築する、金属部材とを含む。
【発明の効果】
【０００７】
インピーダンスを容易に調整できるアンテナ装置を提供することができる。
【図面の簡単な説明】
【０００８】
【図１】実施の形態１のアンテナ装置１００を示す平面図である。
【図２】実施の形態１のアンテナ装置１００を示す斜視図である。
【図３】実施の形態１のアンテナ装置１００を示す側面図である。
【図４】アンテナ装置１００Ｓの原理を説明する図である。
【図５】アンテナ装置１００Ｓの反射係数の周波数特性を示す図である。
【図６】アンテナ装置１００Ｓと無給電素子１２０Ｔの反射係数の周波数特性を示す図である。
【図７】実施の形態１のアンテナ装置１００のシミュレーションモデルを示す図である。
【図８】図７に示すシミュレーションモデルで得られる反射係数の周波数特性を示す図である。
【図９】アンテナ装置１００Ａを示す図である。
【図１０】アンテナ装置１００Ｂを示す図である。
【図１１】アンテナ装置１００Ｃを示す図である。
【図１２】アンテナ装置１００Ｄを示す図である。
【図１３】実施の形態の変形例を示す図である。
【図１４】実施の形態の変形例を示す図である。
【図１５】実施の形態の変形例を示す図である。
【図１６】アンテナ装置１００Ｖ５の反射係数の周波数特性を示す図である。
【図１７】アンテナ装置１００Ｖ６を示す図である。
【発明を実施するための形態】
【０００９】
以下、本発明のアンテナ装置を適用した実施の形態について説明する。
【００１０】
＜実施の形態１＞
図１は、実施の形態１のアンテナ装置１００を示す平面図である。図２は、実施の形態１のアンテナ装置１００を示す斜視図である。図３は、実施の形態１のアンテナ装置１００を示す側面図である。以下、図１乃至図３に示すＸＹＺ座標系を用いて説明する。
【００１１】
アンテナ装置１００は、グランドプレーン５０、給電素子１１０、無給電素子１２０、及び金属シート１３０を含む。なお、図３ではグランドプレーン５０を省略する。
【００１２】
グランドプレーン５０は、アンテナ装置１００のグランド電位層として用いられる。グランドプレーン５０を接地板又は地板として捉えることもできる。グランドプレーン５０は、Ｘ軸負方向側でＹ軸正方向側に位置する角部５１、Ｘ軸正方向側でＹ軸正方向側に位置する角部５２、Ｘ軸正方向側でＹ軸負方向側に位置する角部５３、Ｘ軸負方向側でＹ軸負方向側に位置する角部５４を有する。以下、角部５１と角部５２を結ぶ辺を端辺５０Ａと称す。端辺５０Ａは、Ｘ軸に沿って伸延する。
【００１３】
給電素子１１０は、給電点１１１、折り曲げ部１１２、１１３、１１４、１１５、及び接地端１１６を有する。給電点１１１は、角部５１のＹ軸正方向側の近傍に位置する。給電点１１１は、例えば、同軸ケーブルの芯線、又は、マイクロストリップラインを介して無線モジュールに接続され、給電される。また、角部５１は、同軸ケーブルのシールド線、又は、マイクロストリップラインに含まれるグランド電位の配線が接続される。角部５１のうち、同軸ケーブルのシールド線等が接続される点は、グランド電位点として捉えることができる。グランド電位点は、給電点に対応するグランドプレーン５０側の点である。
【００１４】
給電素子１１０は、給電点１１１からＹ軸正方向に伸延して折り曲げ部１１２で折り曲げられてＸ軸正方向に伸延し、折り曲げ部１１３で折り曲げられてＹ軸負方向に伸延し、折り曲げ部１１４で折り曲げられてＸ軸負方向に伸延し、折り曲げ部１１５で折り曲げられてＹ軸負方向に伸延し、接地端１１６で角部５１のＸ軸正方向側の近傍の点に接続されている。
【００１５】
給電素子１１０は、給電点１１１から折り曲げ部１１３及び１１４まで伸延して、折り曲げ部１１３及び１１４から接地端１１６に向かって戻るように伸延する、ループ状の給電素子である。このため、折り曲げ部１１３及び１１４を開放端として捉えることができる。折り曲げ部１１３及び１１４は、第１開放端の一例である。
【００１６】
給電素子１１０は、給電点１１１から接地端１１６までの長さが、アンテナ装置１００の通信周波数（共振周波数）における１波長（λ）の電気長の１／４（λ／４）未満の長さに設定されている。給電素子１１０は、グランドプレーン５０に生じる鏡像とのループ（給電点１１１から接地端１１６までの長さの２倍の長さのループ）にループ電流が流れるインダクタとして機能する。給電素子１１０は、無給電素子１２０に給電するとともに、アンテナ装置１００のインピーダンス整合を取るために設けられている。
【００１７】
無給電素子１２０は、接地端１２１、折り曲げ部１２２、及び先端部１２３を有する。ここで、無給電素子とは、給電点を有しないで、他の素子を介して給電される放射素子をいう。無給電素子１２０は、グランドプレーン５０の角部５２に接続される接地端１２１からＹ軸正方向に伸延し、折り曲げ部１２２でＸ軸負方向に折り曲げられ、先端部１２３まで伸延している。先端部１２３は、Ｙ軸方向の位置が折り曲げ部１１３と等しく、折り曲げ部１１３との間に所定距離を隔てた位置に配設される。先端部１２３は、第２開放端の一例である。なお、折り曲げ部１２２のＹ軸方向の位置は、折り曲げ部１１２と等しい。
【００１８】
無給電素子１２０は、金属シート１３０を介して給電素子１１０から給電される。無給電素子１２０の接地端１２１から折り曲げ部１２２を経た先端部１２３までの長さは、アンテナ装置１００の通信周波数における１波長の電気長の１／４（λ／４）に設定される。
【００１９】
無給電素子１２０は、通信周波数における波長の電気長の１／４（λ／４）の長さを有するため、モノポールアンテナとして振る舞う。このため、無給電素子１２０は、グランドプレーン５０に生じる鏡像と協働したダイポールアンテナとして機能する。また、無給電素子１２０は、先端部１２３で給電されるため、先端部１２３における電界が最も大きくなる。
【００２０】
金属シート１３０は、端部１３１及び１３２を有する矩形状の金属シートであり、ＸＹ平面に広がる図示しないシート状の絶縁体（絶縁シート）を介して、折り曲げ部１１３及び１１４と、先端部１２３とに重ねて配設されている。
【００２１】
金属シート１３０は、端部１３１と折り曲げ部１１３及び１１４とがＺ軸方向において容量結合し、端部１３２が先端部１２３とＺ軸方向において容量結合している。端部１３１と折り曲げ部１１３及び１１４とのＺ軸方向の間隔、及び、端部１３２と先端部１２３とのＺ軸方向の間隔は、金属シート１３０と、給電素子１１０及び無給電素子１２０との間に設けられる絶縁シートの厚さによって決まる。
【００２２】
端部１３１と折り曲げ部１１３及び１１４との間の静電容量は、端部１３１と折り曲げ部１１３及び１１４とのＺ軸方向の間隔と、端部１３１と折り曲げ部１１３及び１１４とが重なる面積とによって決まる。
【００２３】
また、端部１３２と先端部１２３との間の静電容量は、端部１３２と先端部１２３とのＺ軸方向の間隔と、端部１３２と先端部１２３とが重なる面積とによって決まる。
【００２４】
アンテナ装置１００の通信周波数は、例えば、数１００ＭＨｚから数ＧＨｚ程度の高周波帯であるため、給電素子１１０と無給電素子１２０は、金属シート１３０によって高周波的に接続されることになる。
【００２５】
図４は、アンテナ装置１００Ｓの原理を説明する図である。
【００２６】
アンテナ装置１００Ｓは、グランドプレーン５０、給電素子１１０Ｓ、無給電素子１２０Ｓ、及び金属シート１３０Ｓを含む。給電素子１１０Ｓは、給電素子１１０Ｓ１と、給電素子１１０Ｓ２とで構築される。無給電素子１２０Ｓは、無給電素子１２０Ｓ１と、無給電素子１２０Ｓ２とで構築される。
【００２７】
給電素子１１０Ｓ１は、図１及び図２に示す給電素子１１０の構造を簡略化してコの字型に示したものである。給電素子１１０Ｓ１は、給電点１１１Ｓ１と折り曲げ部１１３Ｓ１と接地端１１６Ｓ１を有する。給電素子１１０Ｓ２は、グランドプレーン５０に生じる給電素子１１０Ｓ１の鏡像を表したものである。給電素子１１０Ｓ２は鏡像であるため、破線で示す。給電素子１１０Ｓ２は、給電点１１１Ｓ２と折り曲げ部１１３Ｓ２と端部１１６Ｓ２を有する。なお、図４では、給電点１１１Ｓ１と１１１Ｓ２との間に交流の記号を示す。
【００２８】
給電素子１１０Ｓは、給電素子１１０Ｓ１と給電素子１１０Ｓ２とによってループ状の放射素子になり、ループ長は、通信周波数における１波長の電気長の１／２（λ／２）未満であるため、インダクタとして機能する。
【００２９】
無給電素子１２０Ｓ１は、接地端１２１Ｓ１と折り曲げ部１２２Ｓ１と先端部１２３Ｓ１とを有する。先端部１２３Ｓ１は、折り曲げ部１１３Ｓ１の近傍に位置しており、先端部１２３Ｓ１と折り曲げ部１１３Ｓ１は、金属シート１３０Ｓ１によって覆われている。
【００３０】
無給電素子１２０Ｓ２は、端部１２１Ｓ２と折り曲げ部１２２Ｓ２と先端部１２３Ｓ２とを有する。先端部１２３Ｓ２は、折り曲げ部１１３Ｓ２の近傍に位置しており、先端部１２３Ｓ２と折り曲げ部１１３Ｓ２は、金属シート１３０Ｓ２によって覆われている。
【００３１】
このようなアンテナ装置１００Ｓでは、給電素子１１０Ｓが整合回路として機能し、給電素子１１０Ｓの折り曲げ部１１３Ｓ１及び１１３Ｓ２の近傍に位置する先端部１２３Ｓ１及び１２３Ｓ２が、給電素子１１０Ｓから給電され、無給電素子１２０Ｓがダイポールアンテナとして機能する。このようにして、アンテナ装置１００Ｓは通信可能になる。
【００３２】
図５は、アンテナ装置１００Ｓの反射係数（Ｓ１１パラメータ）の周波数特性を示す図である。図５に示す反射係数の周波数特性は、図４における無給電素子１２０Ｓの寸法（接地端１２１Ｓ１と折り曲げ部１２２Ｓ１との間の長さ、折り曲げ部１２２Ｓ１と折り曲げ部１２２Ｓ２との間の長さ、及び、折り曲げ部１２２Ｓ２と先端部１２３Ｓ２との間の長さ）Ｌを１．９ＧＨｚにおける１波長の電気長（λ）の１／７．２（λ／７．２）に設定した場合に得られるものである。
【００３３】
図５に示すように、約１．９ＧＨｚでＳ１１パラメータの値が−５ｄＢ乃至−１０ｄＢ以下になる良好な値が得られた。このため、図４に示すアンテナ装置１００Ｓは、約１．９ＧＨｚ帯で良好な通信特性が得られることが分かった。
【００３４】
図６は、アンテナ装置１００Ｓと無給電素子１２０Ｔの反射係数（Ｓ１１パラメータ）の周波数特性を示す図である。ここでは、アンテナ装置１００ＳのＳ１１パラメータを実線で示し、比較用に無給電素子１２０Ｔのみで得られるＳ１１パラメータを破線で示す。無給電素子１２０Ｔは、無給電素子１２０Ｓの鏡像の部分（無給電素子１２０Ｓ２）を素子に置換し、接地端１２１Ｓ１と端部１２１Ｓ２との間で給電される放射素子である。なお、図６に実線で示すＳ１１パラメータの周波数特性は、図５に示すものと同様である。
【００３５】
図６に示すように、無給電素子１２０Ｔのみで得られるＳ１１パラメータの周波数特性は、共振周波数が約２．３５ＧＨｚである。これより、アンテナ装置１００Ｓの共振周波数は、無給電素子１２０Ｔの共振周波数よりも低いことが分かる。これは、インダクタとして機能する給電素子１１０Ｓによって無給電素子１２０Ｓのインピーダンスが調整されたことによって得られた効果である。
【００３６】
すなわち、アンテナ装置１００Ｓは、無給電素子１２０Ｔよりも共振周波数が低下しており、相対的に小型化できることが分かる。
【００３７】
図７は、実施の形態１のアンテナ装置１００のシミュレーションモデルを示す図である。図８は、図７に示すシミュレーションモデルで得られる反射係数（Ｓ１１パラメータ）の周波数特性を示す図である。
【００３８】
図７に示すように、給電素子１１０の給電点１１１から折り曲げ部１１２の長さ（無給電素子１２０の接地端１２１から折り曲げ部１２２の長さ）Ｈａを１２ｍｍ（λ／１９）、給電素子１１０の折り曲げ部１１２から無給電素子１２０の折り曲げ部１２２までの長さＷｇを３０．６ｍｍ（λ／７）に設定した。なお、ここに示すλは、１．３５ＧＨｚにおける１波長の電気長である。
【００３９】
また、給電素子１１０の給電点１１１から折り曲げ部１１２に至る線路と、折り曲げ部１１５から接地端１１６に至る線路とのＸ軸方向における外寸Ｗｆを３．５ｍｍに設定し、給電素子１１０及び無給電素子１２０の線幅Ｗｐを０．６ｍｍに設定した。グランドプレーン５０のＹ軸方向の長さＨｇを３０．６ｍｍ（λ／７）に設定した。
【００４０】
このような条件の下で、金属シート１３０のＸ軸方向の長さＬｔを変化させて、シミュレーションモデルのＳ１１パラメータ（ｄＢ）を求めた。なお、金属シート１３０が給電素子１１０の折り曲げ部１１３及び１１４とＸ軸方向において重なる長さと、金属シート１３０が無給電素子１２０の先端部１２３とＸ軸方向において重なる長さとが等しくなるようにした。また、金属シート１３０は、給電素子１１０の折り曲げ部１１３及び１１４と、無給電素子１２０の先端部１２３とをＹ軸方向において完全に覆っている。
【００４１】
長さＬｔを７．２ｍｍから１０．２ｍｍまで変化させたところ、図８に示すように反射係数が変化した。長さＬｔが増大するにつれて、反射係数の極小値が得られる周波数（共振周波数）は低下した。具体的には、長さＬｔが７．２ｍｍの場合には、共振周波数が約１．２ＧＨｚであるのに対して、長さＬｔが１０．２ｍｍになると、共振周波数が約１．５ＧＨｚまで増大した。
【００４２】
このような結果から、金属シート１３０の長さＬｔを変化させて金属シート１３０と給電素子１１０及び無給電素子１２０との間の静電容量を変化させることにより、アンテナ装置１００のインピーダンスを調整することができ、アンテナ装置１００の通信周波数（共振周波数）を調整できることが確認できた。
【００４３】
図９は、アンテナ装置１００Ａを示す図である。図９（Ａ）、（Ｂ）に示すアンテナ装置１００Ａは、グランドプレーン５０、給電素子１１０、無給電素子１２０、金属シート１３０、及びＰＥＴ(Polyethyleneterephthalate)フィルム１４０を含む。
【００４４】
図９（Ａ）に示すように、ＰＥＴフィルム１４０の表面１４０Ａ１には、金属シート１３０が設けられており、図９（Ｂ）に示すように、ＰＥＴフィルム１４０の裏面１４０Ａ２には、グランドプレーン５０、給電素子１１０、及び無給電素子１２０が設けられている。
【００４５】
グランドプレーン５０、給電素子１１０、及び無給電素子１２０は、ＰＥＴフィルム１４０の裏面１４０Ａ２に形成されている。例えば、銀ペースト等を裏面１４０Ａ２にスクリーン印刷するか、又は、裏面１４０Ａ２に設けたアルミニウム箔又は銅箔等をエッチングすることによって、グランドプレーン５０、給電素子１１０、及び無給電素子１２０が裏面１４０Ａ２に設けられる。
【００４６】
金属シート１３０は、例えば、アルミニウム製のテープに接着剤を塗布又は印刷したものであればよい。このような金属シート１３０をＰＥＴフィルム１４０の表面１４０Ａ１に貼り付ければ、貼り付ける位置に応じてアンテナ装置１００Ａのインピーダンスを調整することができる。金属シート１３０を貼り付ける位置に応じて、給電素子１１０及び無給電素子１２０と金属シート１３０とが重なる面積が変わるからである。
【００４７】
この場合に、金属シート１３０をＰＥＴフィルム１４０の表面１４０Ａ１に対して繰り返し貼り付けることができる構成にしておけば、給電素子１１０及び無給電素子１２０に対する金属シート１３０の位置を調整しながら、アンテナ装置１００Ａのインピーダンスを調整することができる。ここで、繰り返し貼り付けることができる構成とは、金属シート１３０を表面１４０Ａ１に貼り付けた後に、表面１４０Ａ１から剥がして、再び表面１４０Ａ１に貼り付ける動作を繰り返し行うことができる構成である。例えば、金属シート１３０を表面１４０Ａ１に貼り付ける面に、繰り返しの貼り付け及び引きはがしに耐えうる接着剤等を施しておけばよい。また、繰り返しの貼り付けとは、少なくとも２度以上貼り付けることができることをいう。
【００４８】
給電素子１１０及び無給電素子１２０と、金属シート１３０とは電気的に接続されておらず、ＰＥＴフィルム１４０の厚さの分だけ離間している。このため、給電素子１１０及び無給電素子１２０と、金属シート１３０との電気的な接触が問題になることはなく、給電素子１１０及び無給電素子１２０と、金属シート１３０とが重なる面積を調整することによって、容易にアンテナ装置１００Ａのインピーダンスを調整することができる。
【００４９】
なお、アンテナ装置１００Ａの用途が確定すれば、金属シート１３０を表面１４０Ａ１に対して繰り返し貼り付けることができる構成にする必要はなく、金属シート１３０を表面１４０Ａ１に印刷又はエッチング等によって形成してよい。アンテナ装置１００Ａの用途が確定するとは、アンテナ装置１００Ａの取り付け先が確定し、金属シート１３０の給電素子１１０及び無給電素子１２０の位置及びサイズが確定することをいう。
【００５０】
図１０は、アンテナ装置１００Ｂを示す図である。図１０（Ａ）、（Ｂ）、（Ｃ）に示すアンテナ装置１００Ｂは、グランドプレーン５０、給電素子１１０、無給電素子１２０、金属シート１３０Ａ、１３０Ｂ、及び配線基板１４０Ｂを含む。配線基板１４０Ｂは、プリント基板であり、絶縁層１４０Ｂ１及び１４０Ｂ２を有する。
【００５１】
図１０（Ａ）には配線基板１４０ＢのＬ１層を示し、図１０（Ｂ）には配線基板１４０ＢのＬ２層を示し、図１０（Ｃ）には配線基板１４０ＢのＬ３層を示す。Ｌ１層は、絶縁層１４０Ｂ１の表面（Ｚ軸正方向側の面）に位置する配線層であり、Ｌ２層は、絶縁層１４０Ｂ１と絶縁層１４０Ｂ２との間に位置する配線層であり、Ｌ３層は、絶縁層１４０Ｂ２の裏面（Ｚ軸負方向側の面）に位置する配線層である。
【００５２】
図１０（Ａ）に示すように、金属シート１３０Ａは、絶縁層１４０Ｂ１の表面（Ｚ軸正方向側の面）に設けられている。金属シート１３０Ａは、図９（Ａ）に示す金属シート１３０と同様に、絶縁層１４０Ｂ１の表面に対して繰り返し貼り付けることができる構成を有する。
【００５３】
また、図１０（Ｂ）に示すように、グランドプレーン５０、給電素子１１０、及び無給電素子１２０は、絶縁層１４０Ｂ２の表面（Ｚ軸正方向側の面）に設けられている。グランドプレーン５０、給電素子１１０、及び無給電素子１２０は、絶縁層１４０Ｂ２の表面に、銀ペースト等をスクリーン印刷するか、又は、絶縁層１４０Ｂ２の表面に設けたアルミニウム箔又は銅箔等をエッチングすることによって形成することができる。
【００５４】
絶縁層１４０Ｂ２は、表面にグランドプレーン５０、給電素子１１０、及び無給電素子１２０が形成された状態で、絶縁層１４０Ｂ１と貼り合わせられる。なお、絶縁層１４０Ｂ１の裏面（Ｚ軸負方向側の面）にグランドプレーン５０、給電素子１１０、及び無給電素子１２０を形成した状態で、絶縁層１４０Ｂ２と貼り合わせてもよい。
【００５５】
図１０（Ｃ）には、絶縁層１４０Ｂ２の位置を破線で示す。金属シート１３０Ｂは、絶縁層１４０Ｂ２の裏面（Ｚ軸負方向側の面）に設けられる。金属シート１３０Ｂは、金属シート１３０Ａと同様に、絶縁層１４０Ｂ２の裏面に対して繰り返し貼り付けることができる構成を有する。
【００５６】
このようなアンテナ装置１００Ｂにおいて、絶縁層１４０Ｂ１の表面と絶縁層１４０Ｂ２の裏面とにそれぞれ金属シート１３０Ａと金属シート１３０Ｂとを貼り付ける位置を調整すれば、アンテナ装置１００Ｂのインピーダンスを容易に調整することができる。
【００５７】
図１１は、アンテナ装置１００Ｃを示す図である。アンテナ装置１００Ｃは、図９（Ａ）、（Ｂ）に示すアンテナ装置１００Ａの金属シート１３０の代わりに、金属シート１３０Ｃを含む。図１１には、図９（Ａ）に対応する構成のみを示す。
【００５８】
金属シート１３０Ｃは、５枚の金属シート１３０Ｃ１〜１３０Ｃ５を重ねて貼り合わせた構成を有する。金属シート１３０Ｃ１〜１３０Ｃ５は、金属シート１３０Ｃ１から金属シート１３０Ｃ５の順に、Ｘ軸方向の長さが長くなっている。金属シート１３０Ｃ１がＰＥＴフィルム１４０の表面１４０Ａ１に貼り付けられており、金属シート１３０Ｃ１の上に、金属シート１３０Ｃ２、１３０Ｃ３、１３０Ｃ４、１３０Ｃ５がこの順で貼り付けられている。
【００５９】
金属シート１３０Ｃは、金属シート１３０Ｃ１〜１３０Ｃ５を金属シート１３０Ｃ５から１枚ずつ剥がせるため、Ｘ軸方向における長さを調整することができる。例えば、金属シート１３０Ｃ５と１３０Ｃ４を剥がせば、金属シート１３０Ｃ１〜１３０Ｃ３が重ね合わされた金属シート１３０Ｃとして利用することができる。
【００６０】
金属シート１３０Ｃ１〜１３０Ｃ５は、すべて、給電素子１１０の折り曲げ部１１３及び１１４と、無給電素子１２０の先端部１２３と重なり合うように、ＰＥＴフィルム１４０の表面１４０Ａ１に貼り付けられている。
【００６１】
このため、金属シート１３０Ｃ１〜１３０Ｃ５をＰＥＴフィルム１４０の表面１４０Ａ１に貼り付ける位置を繰り返し貼り付けながら調整することによって、折り曲げ部１１３及び１１４と先端部１２３に対する金属シート１３０Ｃ１〜１３０Ｃ５の平面的な位置を調整することができる。
【００６２】
また、金属シート１３０Ｃ５から１枚ずつ剥がして行けば、折り曲げ部１１３及び１１４と先端部１２３に重なる金属シート１３０ＣのＸ軸方向における長さを調整することができる。
【００６３】
このように、アンテナ装置１００Ｃでは、金属シート１３０ＣをＰＥＴフィルム１４０の表面１４０Ａ１に貼り付ける位置と、金属シート１３０ＣのＸ軸方向における長さとを調整することによって、アンテナ装置１００Ｃのインピーダンスを容易に調整することができる。
【００６４】
図１２は、アンテナ装置１００Ｄを示す図である。アンテナ装置１００Ｄは、図１１に示す金属シート１３０Ｃの代わりに、扇状の金属シート１３０Ｄを含む。
【００６５】
金属シート１３０Ｄは、回転軸１３１ＤによってＰＥＴフィルム１４０に回動自在に軸支されている。このような金属シート１３０Ｄの回転角度を調整すれば、金属シート１３０Ｄが給電素子１１０の折り曲げ部１１３及び１１４と、無給電素子１２０の先端部１２３と重なる面積を調整することができ、アンテナ装置１００Ｄのインピーダンスを調整することができる。
【００６６】
以上、実施の形態によれば、インピーダンスを容易に調整できる、アンテナ装置１００、１００Ｓ、１００Ａ、１００Ｂ、１００Ｃ、１００Ｄ（以下、アンテナ装置１００等と称す）を提供することができる。
【００６７】
例えば、ＩｏＴ(Internet  of  Things)又はＭ２Ｍ(Machine  to  Machine)では、身の回りのあらゆる物にアンテナ装置１００等を取り付けて通信を行うことが有り得る。アンテナ装置１００等は、取り付けられる物の誘電率又は導電率等によって放射特性が大きく変わるため、容易にインピーダンスを調整できるような構成を実現できれば、あらゆる物に取り付けた際に、放射特性を最適化できる。
【００６８】
また、ＩｏＴ又はＭ２Ｍに割り当てられる周波数帯は、未だ決まっていないため、インピーダンスを容易に調整できる構成を有するアンテナ装置１００等は、将来におけるＩｏＴ又はＭ２Ｍでの利用において非常に有望である。
【００６９】
なお、ここでは、扇状の金属シート１３０Ｄを用いる形態について説明したが、回転軸１３１ＤによってＰＥＴフィルム１４０に回動自在に軸支され、給電素子１１０の折り曲げ部１１３及び１１４と、無給電素子１２０の先端部１２３と重なる面積を調整することができるのであれば、金属シート１３０Ｄは、どのような形状又は構成であってもよい。
【００７０】
図１３及び図１４は、実施の形態の変形例を示す図である。
【００７１】
図１３（Ａ）に示すアンテナ装置１００Ｖ１は、グランドプレーン５０、給電素子１１０、無給電素子１２０Ｖ１、及び金属シート１３０を含む。アンテナ装置１００Ｖ１は、図１に示す無給電素子１２０の代わりに無給電素子１２０Ｖ１を含む。
【００７２】
無給電素子１２０Ｖ１は、折返しモノポール型であり、接地端１２１Ｖ１、折り曲げ部１２２Ｖ１、１２３Ｖ１、１２４Ｖ１、１２５Ｖ１、及び接地端１２６Ｖ１を有する。接地端１２１Ｖ１は、第１接続端の一例であり、接地端１２６Ｖ１は、第２接続端の一例である。
【００７３】
両端である接地端１２１Ｖ１及び１２６Ｖ１がグランドプレーン５０に接続されており、接地端１２１Ｖ１から折り曲げ部１２３Ｖ１及び１２４Ｖ１で折り返されて接地端１２６Ｖ１に戻るように伸延する構成を有する。接地端１２１Ｖ１から接地端１２６Ｖ１までの長さは、アンテナ装置１００Ｖ１の通信周波数（共振周波数）における１波長（λ）の電気長の１／２（λ／２）の長さに設定されている。
【００７４】
このようなアンテナ装置１００Ｖ１においても、金属シート１３０の位置を調整することにより、インピーダンスを容易に調整することができる。
【００７５】
図１３（Ｂ）に示すアンテナ装置１００Ｖ２は、グランドプレーン５０、給電素子１１０Ｖ２、無給電素子１２０Ｖ２、及び金属シート１３０を含む。
【００７６】
給電素子１１０Ｖ２は、給電点１１１Ｖ１、折り曲げ部１１２Ｖ２、開放端１１３Ｖ２、及びループ部１１４Ｖ２を有する。給電点１１１Ｖ１から折り曲げ部１１２Ｖ２を経て開放端１１３Ｖ２に至る部分は、通信周波数（共振周波数）における１波長（λ）の電気長の１／４（λ／４）の長さに設定されており、モノポールアンテナとして機能する。
【００７７】
また、ループ部１１４Ｖ２は、給電点１１１Ｖ１と折り曲げ部１１２Ｖ２との間から、端辺５０Ａに沿って伸延しており、無給電素子１２０Ｖ２に接続されている。ループ部１１４Ｖ２が給電点１１１Ｖ１と折り曲げ部１１２Ｖ２との間から分岐する点は、折り曲げ部１１２Ｖ２よりも給電点１１１Ｖ１に近く、給電点１１１Ｖ１の近傍である。
【００７８】
ループ部１１４Ｖ２は、接続素子の一例である。ループ部１１４Ｖ２が給電点１１１Ｖ１と折り曲げ部１１２Ｖ２との間の線路に接続される点は、第１点の一例である。
【００７９】
無給電素子１２０Ｖ２は、接地端１２１Ｖ２、折り曲げ部１２２Ｖ２、及び開放端１２３Ｖ２を有する。接地端１２１Ｖ２から折り曲げ部１２２Ｖ２を経て開放端１２３Ｖ２に至る部分は、通信周波数（共振周波数）における１波長（λ）の電気長の１／４（λ／４）の長さに設定されており、モノポールアンテナとして機能する。ループ部１１４Ｖ２が接地端１２１Ｖ２と折り曲げ部１２２Ｖ２との間の線路に接続される点は、第２点の一例である。
【００８０】
ここで、ループ部１１４Ｖ２は、グランドプレーン５０と協働してインダクタとして機能するため、波長短縮効果により、給電素子１１０Ｖ２の給電点１１１Ｖ１から折り曲げ部１１２Ｖ２を経て開放端１１３Ｖ２に至る部分の長さは、無給電素子１２０Ｖの接地端１２１Ｖ２から折り曲げ部１２２Ｖ２を経て開放端１２３Ｖ２に至る部分の長さよりも短くなっている。
【００８１】
給電素子１１０Ｖ２は、インダクタとして機能するループ部１１４Ｖ２が給電点１１１Ｖ１と折り曲げ部１１２Ｖ２との間に接続されていることにより、図１に示す給電素子１１０と同様にインダクタとして機能する。
【００８２】
従って、給電素子１１０Ｖ２の開放端１１３Ｖ２と、無給電素子１２０Ｖ２の開放端１２３Ｖ２との間を覆うように金属シート１３０を設けることにより、金属シート１３０の位置に応じてアンテナ装置１００Ｖ２のインピーダンスを調整することができる。
【００８３】
図１４（Ａ）に示すアンテナ装置１００Ｖ３は、グランドプレーン５０、給電素子１１０Ｖ３、無給電素子１２０Ｖ３、及び金属シート１３０を含む。図１４（Ａ）では、グランドプレーン５０の角部５１は第１点の一例であり、角部５２は第２点の一例である。
【００８４】
給電素子１１０Ｖ３は、給電点１１１Ｖ１、折り曲げ部１１２Ｖ３、開放端１１３Ｖ３、及びインダクタ１１４Ｖ３を有する。給電点１１１Ｖ１は角部５１の近傍に位置し、給電素子１１０Ｖ３は、給電点１１１Ｖ１から折り曲げ部１１２Ｖ３を経て開放端１１３Ｖ３まで伸延している。開放端１１３Ｖ３は、第１開放端の一例である。
【００８５】
また、給電点１１１Ｖ１と、端辺５０Ａとの間には、インダクタ１１４Ｖ３が接続されている。給電点１１１Ｖ１に同軸ケーブルの芯線又はマイクロストリップラインを接続して給電し、角部５１に同軸ケーブルのシールド線、又は、マイクロストリップラインに含まれるグランド電位の配線等を接続する場合に、インダクタ１１４Ｖ３は、給電点１１１Ｖ１と角部５１（のグランド電位点）との間に並列に接続される。
【００８６】
無給電素子１２０Ｖ３は、接地端１２１Ｖ３、折り曲げ部１２２Ｖ３、及び開放端１２３Ｖ３を有する。接地端１２１Ｖ３は、角部５２に接続されており、無給電素子１２０Ｖ３は、接地端１２１Ｖ３から折り曲げ部１２２Ｖ３を経て開放端１２３Ｖ３まで伸延している。開放端１２３Ｖ３は、開放端１１３Ｖ３の所定距離手前に位置する。また、開放端１２３Ｖ３と開放端１１３Ｖ３は、金属シート１３０によって覆われる。接地端１２１Ｖ３は、接続端の一例であり、開放端１２３Ｖ３は、第２開放端の一例である。
【００８７】
開放端１１３Ｖ３から、折り曲げ部１１２Ｖ３、給電点１１１Ｖ１、角部５１、端辺５０Ａ、角部５２、接地端１２１Ｖ３、及び折り曲げ部１２２Ｖ３を経て開放端１２３Ｖ３に至る区間の長さは、通信周波数（共振周波数）における１波長（λ）の電気長の１／２（λ／２）の長さに設定されている。
【００８８】
給電素子１１０Ｖ３は、インダクタ１１４Ｖ３が給電点１１１Ｖ１及びグランド電位点との間に並列に接続されることにより、図１に示す給電素子１１０と同様にインダクタとして機能する。
【００８９】
従って、給電素子１１０Ｖ３の開放端１１３Ｖ３と、無給電素子１２０Ｖ３の開放端１２３Ｖ３との間を覆うように金属シート１３０を設けることにより、金属シート１３０の位置に応じてアンテナ装置１００Ｖ３のインピーダンスを調整することができる。
【００９０】
図１４（Ｂ）に示すアンテナ装置１００Ｖ４は、グランドプレーン５０、給電素子１１０Ｖ４、無給電素子１２０Ｖ４、及び金属シート１３０を含む。アンテナ装置１００Ｖ４は、図１４（Ａ）に示すアンテナ装置１００Ｖ３の給電素子１１０Ｖ３と無給電素子１２０Ｖ３を立体的なループ状に起立させた構成を有する。給電素子１１０Ｖ４及び無給電素子１２０Ｖ４は、図１４（Ａ）に示す給電素子１１０Ｖ３及び無給電素子１２０Ｖ３をグランドプレーン５０に対して直角に起立させた構成を有する。
【００９１】
このようなアンテナ装置１００Ｖ４においても、給電素子１１０Ｖ４の開放端１１３Ｖ４と、無給電素子１２０Ｖ４の開放端１２３Ｖ４との間を覆うように金属シート１３０を設けることにより、金属シート１３０の位置に応じてアンテナ装置１００Ｖ４のインピーダンスを調整することができる。
【００９２】
図１５は、実施の形態の変形例を示す図である。図１５に示すアンテナ装置１００Ｖ５は、図１に示すアンテナ装置１００をＹ軸に沿って折り曲げた構成を有する。グランドプレーン５０、給電素子１１０、及び無給電素子１２０をフレキシブル基板に形成しておけば、このようにアンテナ装置１００Ｖ５を折り曲げることができる。フレキシブル基板としては、ＰＥＴフィルムの他に、ポリイミド製のフィルムを用いることができる。
【００９３】
また、このようにアンテナ装置１００Ｖ５を折り曲げると、給電素子１１０及び無給電素子１２０のインピーダンスが変わる場合がある。このような場合には、金属シート１３０でアンテナ装置１００Ｖ５のインピーダンスを調整すればよい。
【００９４】
図１６は、アンテナ装置１００Ｖ５の反射係数（Ｓ１１パラメータ）の周波数特性を示す図である。金属シート１３０の長さＬｔを変化させたところ、図１６に示す反射係数（Ｓ１１パラメータ）の周波数特性を得た。
【００９５】
長さＬｔを６．０ｍｍから１０．２ｍｍまで変化させたところ、図１６に示すように反射係数が変化した。長さＬｔが増大するにつれて、反射係数の極小値が得られる周波数は低下した。
【００９６】
このような結果から、金属シート１３０の長さＬｔを変化させて金属シート１３０と給電素子１１０及び無給電素子１２０との間の静電容量を変化させることにより、アンテナ装置１００Ｖ５のインピーダンスを調整することができ、アンテナ装置１００Ｖ５の通信周波数を調整できることが確認できた。
【００９７】
図１７は、アンテナ装置１００Ｖ６を示す図である。
【００９８】
アンテナ装置１００Ｖ６は、給電素子１１０Ｖ６、無給電素子１２０Ｖ６、及び金属シート１３０Ｖ１、１３０Ｖ６を含む。アンテナ装置１００Ｖ６は、図４に示すアンテナ装置１００Ｓからグランドプレーン５０を取り除いて、鏡像の部分を実際の素子に置き換えた構成を有する。
【００９９】
給電素子１１０Ｖ６は、図４に示す給電素子１１０Ｓ１と１１０Ｓ２を合わせてループ状にしたものである。給電素子１１０Ｖ６は、給電点１１１Ｖ１、折り曲げ部１１３Ｖ１、グランド電位点１１１Ｖ６、及び折り曲げ部１１３Ｖ６を有する。折り曲げ部１１３Ｖ１は、第１点の一例であり、折り曲げ部１１３Ｖ６は、第２点の一例である。なお、図１７では、給電点１１１Ｖ１とグランド電位点１１１Ｖ６との間に交流の記号を示す。
【０１００】
給電素子１１０Ｖ６のループ長は、通信周波数における１波長の電気長の１／２（λ／２）未満であるため、インダクタとして機能する。
【０１０１】
無給電素子１２０Ｖ６は、折り曲げ部１２２Ｖ１、先端部１２３Ｖ１、折り曲げ部１２２Ｖ６、及び先端部１２３Ｖ６を有する。先端部１２３Ｖ１は、折り曲げ部１１３Ｖ１の近傍に位置しており、先端部１２３Ｖ１と折り曲げ部１１３Ｖ１は、金属シート１３０Ｖ１によって覆われている。先端部１２３Ｖ６は、折り曲げ部１１３Ｖ６の近傍に位置しており、先端部１２３Ｖ６と折り曲げ部１１３Ｖ６は、金属シート１３０Ｖ６によって覆われている。
【０１０２】
先端部１２３Ｖ１は、第１開放端の一例であり、先端部１２３Ｖ６は、第２開放端の一例である。
【０１０３】
このようなアンテナ装置１００Ｖ６では、給電素子１１０Ｖ６が整合回路として機能し、給電素子１１０Ｖ６の折り曲げ部１１３Ｖ１及び１１３Ｖ６の近傍に位置する先端部１２３Ｖ１及び１２３Ｖ６が、給電素子１１０Ｖ６から給電され、無給電素子１２０Ｖ６がダイポールアンテナとして機能する。このようにして、アンテナ装置１００Ｖ６は通信可能になる。
【０１０４】
以上のように、グランドプレーンを含まないアンテナ装置１００Ｖ６においても、金属シート１３０Ｖ１及び１３０Ｖ６の位置を調整することによって、アンテナ装置１００Ｖ６のインピーダンスを容易に調整することができる。
【０１０５】
なお、ここでは、２つの金属シート１３０Ｖ１及び１３０Ｖ６を用いる形態について説明したが、アンテナ装置１００Ｖ６は、金属シート１３０Ｖ１及び１３０Ｖ６のうちのいずれか１つを含めばよい。
【０１０６】
以上、本発明の例示的な実施の形態のアンテナ装置について説明したが、本発明は、具体的に開示された実施の形態に限定されるものではなく、特許請求の範囲から逸脱することなく、種々の変形や変更が可能である。
以上の実施の形態に関し、さらに以下の付記を開示する。
（付記１）
端辺を有するグランドプレーンと、
前記グランドプレーンの前記端辺の近傍に位置する給電点と、第１開放端とを有し、前記給電点から前記第１開放端まで伸延し、インダクタとして機能する給電素子と、
前記給電素子の前記第１開放端から所定距離の位置に配設される第２開放端と、前記グランドプレーンの前記端辺に接続される接続端とを有し、前記接続端から前記第２開放端まで伸延する無給電素子であって、前記接続端から前記第２開放端までの長さが通信周波数における波長の電気長の四半波長に設定される、無給電素子と、
前記第１開放端及び前記第２開放端を覆うように前記第１開放端及び前記第２開放端との間に所定間隔を隔てて配設され、前記第１開放端及び前記第２開放端との間に所定の容量を構築する、金属部材と
を含む、アンテナ装置。
（付記２）
前記給電素子は、前記給電点の近傍において前記グランドプレーンに接続される接地端をさらに有し、前記給電点から前記第１開放端まで伸延し、前記第１開放端で折り返して前記接地端まで伸延する、ループ状の素子である、付記１記載のアンテナ装置。
（付記３）
前記無給電素子は、前記接続端の近傍において前記グランドプレーンに接続される第２接続端をさらに有し、前記接続端から前記第２開放端まで伸延し、前記第２開放端で折り返して前記第２接続端まで伸延する、ループ状の素子である、付記１又は記載のアンテナ装置。
（付記４）
前記給電素子の前記給電点と前記第１開放端との間の第１点と、前記無給電素子の前記接続端と前記第２開放端との間の第２点とを接続し、前記第１点、前記給電点、端辺、前記接続端、及び前記第２点を結ぶループを構築する、接続素子をさらに含む、付記１記載のアンテナ装置。
（付記５）
グランドプレーンと、
前記グランドプレーンの第１点の近傍に位置する給電点と、第１開放端とを有し、前記給電点から前記第１開放端まで伸延する給電素子と、
前記第１点と前記給電点との間に並列に挿入される誘導性素子と、
前記グランドプレーンの第２点に接続される接続端と、前記第１開放端から所定距離の位置に配設される第２開放端とを有し、前記接続端から前記第２開放端まで伸延する無給電素子と、
前記第１開放端及び前記第２開放端を覆うように前記第１開放端及び前記第２開放端との間に所定間隔を隔てて配設され、前記第１開放端及び前記第２開放端との間に所定の容量を構築する、金属部材と
を含み、
前記第１開放端から前記給電点までの長さと、前記第１点から前記第２点までの長さと、前記接続端から前記第２開放端までの長さの合計の長さは、通信周波数における波長の電気長の半波長に設定される、アンテナ装置。
（付記６）
給電点と、給電点の近傍に位置するグランド電位点とを有し、前記給電点から前記グランド電位点にループ状に伸延し、インダクタとして機能する給電素子と、
前記給電素子の前記給電点と前記グランド電位点との間の第１点の近傍に配設される第１開放端と、前記第１点と前記グランド電位点との間の第２点の近傍に配設される第２開放端とを有し、前記第１開放端から前記第２開放端まで伸延する無給電素子であって、前記第１開放端と前記第２開放端と間の長さが通信周波数における波長の電気長の半波長に設定される、無給電素子と、
前記第１点及び前記第１開放端を覆うように前記第１点及び前記第１開放端との間に所定間隔を隔てて配設され、前記第１点及び前記第１開放端との間に所定の容量を構築する、金属部材と
を含む、アンテナ装置。
（付記７）
前記第１開放端及び前記第２開放端と、前記金属部材との間に配設され、前記所定間隔に相当する厚さを有する絶縁部材をさらに含む、付記１乃至６のいずれか一項記載のアンテナ装置。
（付記８）
前記金属部材の幅は、前記給電素子及び前記無給電素子の線幅よりも広い、付記１乃至７のいずれか一項記載のアンテナ装置。
（付記９）
前記金属部材は、前記第１開放端及び前記第２開放端に対して繰り返し貼り付けることができる金属シートである、付記１乃至８のいずれか一項記載のアンテナ装置。
（付記１０）
前記金属部材は、前記第１開放端及び前記第２開放端を結ぶ方向における長さが互いに異なり、前記第１開放端及び前記第２開放端に重ねられる複数の金属シートであって、前記複数の金属シートは、前記第１開放端及び前記第２開放端に対して重ねられる方向において、前記第１開放端及び前記第２開放端に近いほど前記長さが短く、前記第１開放端及び前記第２開放端から離れるほど前記長さが長い、付記１乃至９のいずれか一項記載のアンテナ装置。
（付記１１）
前記金属部材は、回転軸によって回動自在に軸支されており、角度を調整することによって前記第１開放端及び前記第２開放端と重なる面積が変わる、可変容量を構築する、付記１乃至８のいずれか一項記載のアンテナ装置。
【符号の説明】
【０１０７】
５０  グランドプレーン
１００、１００Ｓ、１００Ａ、１００Ｂ、１００Ｃ、１００Ｄ、１００Ｖ１、１００Ｖ２、１００Ｖ３、１００Ｖ４  アンテナ装置
１１０、１１０Ｓ  給電素子
１１１  給電点
１１２、１１３、１１４、１１５  折り曲げ部
１１６  接地端
１２０、１２０Ｓ  無給電素子
１２１  接地端
１２２  折り曲げ部
１２  先端部３
１３０、１３０Ｓ、１３０Ｃ、１３０Ｃ１〜１３０Ｃ５、１３０Ｄ  金属シート
１３１、１３２  端部
１４０  ＰＥＴフィルム
１４０Ｂ  配線基板
１４０Ｂ１、１４０Ｂ２  絶縁層
【図１】
2018061119.tif 000003
【図２】
2018061119.tif 000004
【図３】
2018061119.tif 000005
【図４】
2018061119.tif 000006
【図５】
2018061119.tif 000007
【図６】
2018061119.tif 000008
【図７】
2018061119.tif 000009
【図８】
2018061119.tif 000010
【図９】
2018061119.tif 000011
【図１０】
2018061119.tif 000012
【図１１】
2018061119.tif 000013
【図１２】
2018061119.tif 000014
【図１３】
2018061119.tif 000015
【図１４】
2018061119.tif 000016
【図１５】
2018061119.tif 000017
【図１６】
2018061119.tif 000018
【図１７】
2018061119.tif 000019